(57)【要約】      （修正有）【課題】ピボット付き扉を梱包した状態のまま所定の設置場所に吊り込むことができ、ピボット付き扉の運搬時のみならず吊り込み後においても該ピボット付き扉の表面を最大限キズから守ることができる梱包材と、そのような梱包材を用いた非常に簡便で効率的なピボット付き扉の施工方法とを提供する。【解決手段】梱包材１０は、扉体１ａの上面に取り付けられる上側ピボット５および扉体１ａの下面に取り付けられる下側ピボットのうち、いずれか一方が扉体１ａの上面もしくは下面に対して突出・没入可能で常時突出方向に付勢される可動式ピボットＡで構成され且つ予め扉体１ａに取り付けられているピボット付き扉１を梱包する梱包材であって、上側及び下側のピボット取付け部分に対応する箇所を切り取るための切取補助線２０，４０が設けられていることを特徴とする。【選択図】図１
2018118785.tif 000002
【特許請求の範囲】
【請求項１】
扉体(１ａ)の上面に取り付けられる上側ピボット(５)および扉体(１ａ)の下面に取り付けられる下側ピボット(５１)のうち、いずれか一方が扉体(１ａ)の上面もしくは下面に対して突出・没入可能で常時突出方向に付勢される可動式ピボット(Ａ)で構成され且つ予め扉体(１ａ)に取り付けられているピボット付き扉(１)を梱包する梱包材(１０)であって、
上側及び下側のピボット取付け部分に対応する箇所を切り取るための切取補助線(２０，４０)が設けられている、
ことを特徴とするピボット付き扉の梱包材(１０)。
【請求項２】
請求項１のピボット付き扉の梱包材(１０)において、
前記梱包材(１０)を構成するシート(１０ａ)を前記上側ピボット(５)および前記下側ピボット(５１)が取り付けられる前記扉体(１ａ)の上面および下面の位置で折り重ねると共に、前記切取補助線(２０，４０)をミシン目で形成し、
折り重ねられた前記シート(１０ａ)のうち扉体(１ａ)側の部分に設ける下蓋側切取補助線(２０Ｘ，４０Ｘ)を、表側の部分に設ける上蓋側切取補助線(２０Ｙ，４０Ｙ)よりも外側となるように形成し且つミシン目を多く入れて切り取り易くする、ことを特徴とするピボット付き扉の梱包材(１０)。
【請求項３】
請求項１のピボット付き扉の梱包材(１０)において、
前記切取補助線(２０，４０)のうち、前記可動式ピボット(Ａ)が取り付けられた側の切取補助線(２０，４０)を、前記ピボット付き扉(１)を梱包した際の当該ピボット付き扉(１)の表面側に設けられ、梱包材(１０)を切り取る際に把手となる切片(Ｓ１)を形成する表面側切取補助線(３０)と、その表面側切取補助線(３０)に連結され、可動式ピボット(Ａ)周辺の梱包材(１０)を切り取るように設けられたピボット取付面側切取補助線(３２)とで構成すると共に、
そのピボット取付面側切取補助線(３２)で切り取られる梱包材(１０)の切取幅が、上記表面側から裏面側に向けて漸減するように形成する、ことを特徴とするピボット付き扉の梱包材。
【請求項４】
請求項１のピボット付き扉の梱包材において、
前記切取補助線(２０，４０)のうち、前記可動式ピボット(Ａ)が取り付けられた側の切取補助線(２０，４０)を、前記ピボット付き扉(１)を梱包した際の当該ピボット付き扉(１)の表面側に設けられ、梱包材(１０)を切り取る際に表面側の把手となる切片(Ｓ１)を形成する表面側切取補助線(３０)と、一端がその表面側切取補助線(３０)に連結され、可動式ピボット(Ａ)周辺の梱包材(１０)を切り取るように設けられた左右一対のピボット取付面側切取補助線(３２)と、そのピボット取付面側切取補助線(３２)の他端に連結するよう前記ピボット付き扉(１)を梱包した際の当該ピボット付き扉(１)の裏面側に設けられ、梱包材(１０)を切り取る際に裏面側の把手となる切片(Ｓ３)を形成する裏面側切取補助線(３４)とで構成すると共に、
上記のピボット取付面側切取補助線(３２)を切り込み線で形成し、表面側切取補助線(３０)及び裏面側切取補助線(３４)をミシン目で形成する、ことを特徴とするピボット付き扉の梱包材(１０)。
【請求項５】
請求項１乃至４の何れかのピボット付き扉の梱包材(１０)において、
前記梱包材(１０)に、それを用いて梱包した前記ピボット付き扉(１)の前記可動式ピボット(Ａ)の位置を示す可動式ピボット位置目印(２２)を設ける、ことを特徴とするピボット付き扉の梱包材(１０)。
【請求項６】
扉体(１ａ)の上面に取り付けられる上側ピボット(５)および扉体(１ａ)の下面に取り付けられる下側ピボット(５１)のうち、いずれか一方が扉体(１ａ)の上面もしくは下面に対して突出・没入可能で常時突出方向に付勢される可動式ピボット(Ａ)で構成され且つ予め扉体(１ａ)に取り付けられているピボット付き扉１を、請求項１乃至５の何れかの梱包材(１０)で梱包し、
前記可動式ピボット(Ａ)ではないピボットを取り付ける側の前記切取補助線(２０，４０)を用いてピボットの取付け部分に対応する箇所を切り取り、扉体(１ａ)に前記可動式ピボット(Ａ)ではないピボットが取着された状態とし、
続いて、その可動式ピボット(Ａ)ではないピボットを所定の吊り込み位置に設けられた上側ピボット受け(２ａ)もしくは下側ピボット受け(５２)のいずれかに差し込むと共に、扉体(１ａ)を吊り込んで梱包材(１０)で覆われたままの前記可動式ピボット(Ａ)を前記上側ピボット受け(２ａ)もしくは下側ピボット受け(５２)の残りの位置に配置し、
然る後、前記可動式ピボット(Ａ)が取り付けられた側の切取補助線(２０，４０)を用いて切り取った前記可動式ピボット(Ａ)の取り付け部分に対応する箇所の切片を前記上側ピボット受け(２ａ)もしくは下側ピボット受け(５２)と扉体(１ａ)との隙間から引き抜く、ことを特徴とするピボット付き扉の施工方法。
【発明の詳細な説明】
【技術分野】
【０００１】
本発明は、ピボット付き扉を梱包した状態のまま吊り込みができるピボット付き扉の梱包材と、その梱包材を用いたピボット付き扉の施工方法とに関する。
【背景技術】
【０００２】
マンションや戸建住宅の室内に設けられるクローク収納では、扉体の上下両面に回転軸となるピボットが取り付けられるピボット付き扉が使用されている。
ここで、このピボット付き扉を所定の取付位置に吊り込む際には、先ず始めに、クローク収納の枠施工を行った後、扉を斜めに持ち上げて、(主として固定式の)下側ピボットを下側ピボット受または下レールなどに差し込み、然る後、(扉の上面に対して突出・没入可能で常時突出方向に付勢される可動式の)上側ピボットを上側ピボット受または上レールなどに差し込むことによって、吊り込みが完了する。このようにして吊り込みが完了したピボット付き扉は、施主への引渡しが完了するまで養生材で養生される。この種の養生材として、従来では、例えば下記の特許文献１（特開２００７−２４７３０４号公報）に記載されたものがある。その従来技術は、次のように構成されている。
扉体の室外側の面部の所定部位を覆うプラスチックダンボール製の第１保護材と、扉体の室内側の面部の所定部位を覆うプラスチックダンボール製の第２保護材と、前記第１保護材と前記第２保護材間に着脱自在に装着される複数の固定バンドとからなる。前記固定バンドは、前記第１保護材、前記第２保護材で扉体を挟んだ状態で、扉体の戸先側の側面部、戸尻側の側面部のそれぞれを横切るように延出すると共に、少なくとも戸先側の固定バンドは長さ方向に伸縮可能である。
かかる養生材によれば、耐久性・耐水性に優れた着脱が容易な養生材を繰り返し使用することができる。
【先行技術文献】
【特許文献】
【０００３】
【特許文献１】特開２００７−２４７３０４号公報
【発明の概要】
【発明が解決しようとする課題】
【０００４】
しかしながら、上記従来技術には次の問題がある。
すなわち、扉体は工場から出荷される際に主として紙ダンボール製の梱包材で梱包されており、運搬の際はこの梱包材で保護されるが、扉体の吊り込みの際にこの梱包材は除去され、吊り込み完了の後、上記の養生材で養生施工される。これら養生材は着脱が容易であると言えども、その養生施工は非常に手間がかかり面倒である。又、扉体運搬時の保護と扉体吊り込み後の養生とをそれぞれ別の部材で行っているため不経済であり、扉体の効率的且つ合理的な施工が実現できないという問題もあった。
【０００５】
それゆえに、本発明の主たる課題は、ピボット付き扉を梱包した状態のまま所定の設置場所に吊り込むことができ、ピボット付き扉の運搬時のみならず吊り込み後においても該ピボット付き扉の表面を最大限キズから守る梱包材を提供することである。又、本発明の更なる課題は、そのような梱包材を用いた非常に簡便で効率的なピボット付き扉の施工方法を提供することである。
【課題を解決するための手段】
【０００６】
上記の課題を達成するため、本発明は、例えば、図１に示すように、ピボット付き扉１の梱包材１０を、次のように構成した。
すなわち、扉体１ａの上面に取り付けられる上側ピボット５および扉体１ａの下面に取り付けられる下側ピボット５１のうち、いずれか一方が扉体１ａの上面もしくは下面に対して突出・没入可能で常時突出方向に付勢される可動式ピボットＡで構成され且つ予め扉体１ａに取り付けられているピボット付き扉１を梱包する梱包材１０であって、上側及び下側のピボット取付け部分に対応する箇所を切り取るための切取補助線２０，４０が設けられていることを特徴とする。
【０００７】
本発明では、扉体１ａのピボット取付け部分に対応する梱包材１０の箇所に、その部分を切り取るための切取補助線２０，４０が設けられているので、ピボット付き扉１を所定の設置場所に吊り込む際に、ピボット取付け部分の梱包材１０を容易に切り取ると共に、その切り取り面積を必要最小限の大きさに止め、吊り込み後のピボット付き扉１に対して最大限の養生作用を発揮させることができる。
【０００８】
本発明においては、前記梱包材１０を構成するシート１０ａを前記上側ピボット５および前記下側ピボット５１が取り付けられる前記扉体１ａの上面および下面の位置で折り重ねると共に、前記切取補助線２０，４０をミシン目で形成し、折り重ねられた前記シート１０ａのうち扉体１ａ側の部分に設ける下蓋側切取補助線２０Ｘ，４０Ｘを、表側の部分に設ける上蓋側切取補助線２０Ｙ，４０Ｙよりも外側となるように形成し且つミシン目を多く入れて切り取り易くするのが好ましい。
この場合、上側ピボット５および下側ピボット５１の取付け面に当接する梱包材１０の上面および下面が二重にて構成されるので、特に常時突出方向に付勢される可動式の上側ピボット５が当接する部分が破れて当該上側ピボット５が表面へ露出するのを防止することができる。また、切取補助線２０，４０を上述のように形成することにより、扉体１ａを梱包材１０で梱包する際にシート１０ａの折り重ね部分が多少ずれた場合であっても、上側及び下側のピボット取付け部分に対応する箇所を簡単且つ確実に切り取ることができる。
【０００９】
また、本発明においては、前記切取補助線２０，４０のうち、前記可動式ピボットＡが取り付けられた側の切取補助線２０，４０を、前記ピボット付き扉１を梱包した際の当該ピボット付き扉１の表面側に設けられ、梱包材１０を切り取る際に把手となる切片Ｓ１を形成する表面側切取補助線３０と、その表面側切取補助線３０に連結され、可動式ピボットＡ周辺の梱包材１０を切り取るように設けられたピボット取付面側切取補助線３２とで構成すると共に、そのピボット取付面側切取補助線３２で切り取られる梱包材１０の切取幅が、上記表面側から裏面側に向けて漸減するように形成するのが好ましい。
この場合、表面側切取補助線３０に沿って把手となる切片Ｓ１を切り取り、この切片Ｓ１と梱包材１０の上面もしくは下面とが面一となるように位置決めした後、当該切片Ｓ１を摘んで扉体１ａから離間する方向に引っ張るだけで、簡単且つ確実に上側ピボット５周辺の梱包材１０を切り取ることができるようになる。
【００１０】
さらに、本発明においては、前記切取補助線２０，４０のうち、前記可動式ピボットＡが取り付けられた側の切取補助線２０もしくは４０を、前記ピボット付き扉１を梱包した際の当該ピボット付き扉１の表面側に設けられ、梱包材１０を切り取る際に表面側の把手となる切片Ｓ１を形成する表面側切取補助線３０と、一端がその表面側切取補助線３０に連結され、可動式ピボットＡ周辺の梱包材１０を切り取るように設けられた左右一対のピボット取付面側切取補助線３２と、そのピボット取付面側切取補助線３２の他端に連結するよう前記ピボット付き扉１を梱包した際の当該ピボット付き扉１の裏面側に設けられ、梱包材１０を切り取る際に裏面側の把手となる切片Ｓ３を形成する裏面側切取補助線３４とで構成すると共に、上記のピボット取付面側切取補助線３２を切り込み線で形成し、表面側切取補助線３０及び裏面側切取補助線３４をミシン目で形成するのが好ましい。
この場合、表面側切取補助線３０及び裏面側切取補助線３４に沿って把手となる切片Ｓ１及び切片Ｓ３を切り取り、この切片Ｓ１もしくは切片Ｓ３を扉体１ａから離間する表裏何れかの方向に引っ張るだけで、簡単且つ確実に可動式ピボットＡ周辺の梱包材１０を切り取ることができる。
【００１１】
そして、本発明においては、前記梱包材１０に、それを用いて梱包した前記ピボット付き扉１の可動式ピボットＡの位置を示す可動式ピボット位置目印２２を設けるのが好ましい。
この場合、ピボット付き扉１に梱包材１０を被せたまま所定の位置に吊り込み施工する際に可動式ピボットＡの位置決めを容易にすることができる。
【００１２】
本発明における第２の発明は、前記の梱包材１０を用いたピボット付き扉１の施工方法であって、次のように構成される。
扉体１ａの上面に取り付けられる上側ピボット５および扉体１ａの下面に取り付けられる下側ピボット５１のうち、いずれか一方が扉体１ａの上面もしくは下面に対して突出・没入可能で常時突出方向に付勢される可動式ピボットＡで構成され且つ予め扉体１ａに取り付けられているピボット付き扉１を、前記の梱包材１０で梱包する。可動式ピボットＡではないピボットを取り付ける側の切取補助線２０もしくは４０を用いてピボットの取付け部分に対応する箇所を切り取り、扉体１ａに前記可動式ピボットＡではないピボットが取着された状態とする。続いて、その可動式ピボットＡではないピボットを所定の吊り込み位置に設けられた上側ピボット受け２ａもしくは下側ピボット受け５２のいずれかに差し込むと共に、扉体１ａを吊り込んで梱包材１０で覆われたままの前記可動式ピボットＡを前記上側ピボット受け２ａもしくは下側ピボット受け５２の残りの位置に配置する。そして、前記可動式ピボットＡが取り付けられた側の切取補助線２０もしくは４０を用いて切り取った前記可動式ピボットＡの取り付け部分に対応する箇所の切片を前記上側ピボット受け２ａもしくは下側ピボット受け５２と扉体１ａとの隙間から引き抜く、ことを特徴とする。
【００１３】
なお、本発明は、後述する実施形態に記載された特有の構成を付加することが好ましい。
【発明の効果】
【００１４】
本発明によれば、ピボット付き扉を梱包した状態のまま所定の設置場所に吊り込むことができ、ピボット付き扉の運搬時のみならず吊り込み後においても該ピボット付き扉の表面を最大限キズから守ることができる梱包材を提供すると共に、そのような梱包材を用いた非常に簡便で効率的なピボット付き扉の施工方法を提供することができる。
【図面の簡単な説明】
【００１５】
【図１】本発明における一実施形態の梱包材で梱包されたピボット付き扉を示す部分断面斜視図であり、(ａ)は上部を示し、（ｂ）は下部を示す。
【図２】本発明における一実施形態の梱包材で梱包されたピボット付き扉を表す正面図であり、(ａ)は梱包材で梱包された状態を示し、（ｂ）はピボット付き扉施工の際の下側ピボット取付状態を示す。
【図３】本発明における一実施形態の梱包材で梱包されたピボット付き扉の下側ピボット取付態様を示す説明図である。
【図４】下側ピボットを下側ピボット受けに挿入したピボット付き扉の吊り込み施工途中の状態を示す説明図である。
【図５】本発明における一実施形態の梱包材で梱包されたピボット付き扉の上側ピボットを上側ピボット受けに挿入した状態を示す説明図である。
【図６】本発明における一実施形態の梱包材で梱包されたピボット付き扉の吊り込み施工が完了した状態を示す説明図である。
【図７】本発明における他の実施形態（第２実施例）の梱包材で梱包されたピボット付き扉を示す部分断面斜視図である。
【図８】本発明における他の実施形態（第３実施例）の梱包材で梱包されたピボット付き扉を示す部分断面斜視図である。
【図９】本発明における他の実施形態（第４実施例）の梱包材で梱包されたピボット付き扉を示す部分断面斜視図である。
【発明を実施するための形態】
【００１６】
以下、本発明の一実施形態(第一実施例)を図面を用いて説明する。図１は、本発明における一実施形態の梱包材１０で梱包されたピボット付き扉１を示す部分断面斜視図である。この図が示すように、本発明の梱包材１０は、ピボット付き扉１の扉体１ａの上面に取り付けられる上側ピボット５および扉体１ａの下面に取り付けられる下側ピボット５１のうち、上側ピボット５が扉体１ａの上面に対して突出・没入可能で常時突出方向に付勢される可動式ピボットＡで構成されたピボット付き扉１を梱包するためのもので、紙製あるいはプラスチック製のダンボールなどで形成されたクッション性を有するシート１０ａで構成される。
ここで先ず始めに、ピボット付き扉１の構成について説明すると、縦長方形状に形成された扉体１ａには、その上面の長手方向一端側(戸尻側)にピボット収納穴８が穿設されており、このピボット収納穴８には、奥から順にピボット付勢用コイルばね６及び上側ピボット５が取り付けられている。係る構造により、扉体１ａの上面に取り付けられる上側ピボット５は、扉体１ａの上面に対して突出・没入可能で常時突出方向に付勢された可動式ピボットＡとなっている。
【００１７】
上記のシート１０ａは、起立状態の扉体１ａに対して水平方向に巻回されると共に、その上端部および下端部が扉体１ａの上面および下面のところで折り重ねられて梱包材１０となる。
この梱包材１０上部の所定位置には、上記ピボット付き扉１を梱包した際に、上側ピボット５の取付け部分に対応する箇所を容易に切り取れるようにするため、ミシン目からなる切取補助線２０が設けられる。一方、この梱包材１０下部の所定位置には、上記ピボット付き扉１を梱包した際に、下側ピボット５１の取付け部分に対応する箇所を容易に切り取れるようにするため、ミシン目からなる切取補助線４０が設けられる。なお、図１で示す図示実施形態の場合、扉体１ａの下部に予め下側ピボット５１は装着されておらず、扉体１ａ下面の長手方向一端側(戸尻側)に示された下側ピボット取付け位置マーク４５の周辺が上記の下側ピボット５１の取り付け部分に該当する。
【００１８】
切取補助線２０は、梱包材１０で扉体１ａを梱包した際にその梱包材１０の表面側上端部に設けられ、梱包材１０を切り取る際に把手となる切片Ｓ１を形成する表面側切取補助線３０と、その表面上側切取補助線３０に連設され、可動式ピボットＡである上側ピボット５周辺の梱包材１０上面を切り取るように設けられたピボット取付面側切取補助線３２とで構成される。
図１に示す実施形態では、表面側切取補助線３０が、平行する一対の垂直辺を水平辺で繋いで略コ字状に形成されると共に、その水平辺の略中央が上方へ向けて半円状に切欠かれて指掛け部２７が形成される。また、ピボット取付面側切取補助線３２は、扉体１ａの上面で折り曲げられたシート１０ａのうち扉体１ａ側に設けらた下蓋側切取補助線２０Ｘと、表側に設けられる上蓋側切取補助線２０Ｙとで構成される。このうち下蓋側切取補助線２０Ｘは、上蓋側切取補助線４０Ｙよりも外側となるように形成され且つミシン目が多く入れられて切り取り易くするなっている。
【００１９】
ここで、切取補助線２０、とりわけ表面側切取補助線３０で囲まれた梱包材１０の領域内には、上側ピボット５の軸線の位置を示す可動式ピボット位置目印２２が取り付けられる。なお、図１に示す実施形態では、可動式ピボット位置目印２２を三角形で示しているが、この可動式ピボット位置目印２２は、ピボット付き扉１を梱包材１０で梱包した際に、可動式ピボットＡである上側ピボット５の位置が分かるものであれば如何なる態様であってもよく、例えば矢印のようなものであってもよい。
【００２０】
切取補助線４０は、梱包材１０で扉体１ａを梱包した際にその梱包材１０の表面側下端部に設けられ、梱包材１０を切り取る際に把手となる切片Ｓ２を形成する表面側切取補助線４０ａと、その表面側切取補助線４０ａに連設され、下側ピボット５１の取り付け部分周辺の梱包材１０下面を切り取るように設けられたピボット取付面側切取補助線４０ｂとで構成される。
図１に示す実施形態では、表面側切取補助線４０ａが、平行する一対の垂直辺を水平辺で繋いで略コ字状に形成されると共に、その水平辺の略中央が上方へ向けて半円状に切欠かれて指掛け部２９が形成される。また、ピボット取付面側切取補助線４０ｂは、扉体１ａの下面で折り曲げられたシート１０ａのうち扉体１ａ側に設けらた下蓋側切取補助線４０Ｘと、表側に設けられる上蓋側切取補助線４０Ｙとで構成される。このうち下蓋側切取補助線４０Ｘは、上蓋側切取補助線４０Ｙよりも外側となるように形成され且つミシン目が多く入れられて切り取り易くなっている。
【００２１】
次に、以上のように構成された梱包材１０を使用したピボット付き扉１の施工方法について説明する。
先ず始めに、上述したように上側ピボット５が予め取り付けられたピボット付き扉１を工場などで製作し、上述の梱包材１０で梱包した後、在庫しておく。そして、注文に応じて施工現場へと運搬される。このように在庫・運搬の際には梱包材１０によってピボット付き扉１の表面全体が保護される。
【００２２】
続いて、施工現場へ搬入されたピボット付き扉１は、切取補助線４０(より詳しくは表面側切取補助線４０ａ)の部分から切片Ｓ２を切り離し、その切片Ｓ２を引っ張ることによって残りの切取補助線４０が破れ、梱包材１０の下側ピボット５１取付け部分に対応する箇所が切り取られる。そして、この一連の作業により露出した扉体１ａの下面に固定式の下側ピボット５１を取り付ける。
下側ピボット５１は、図２(ｂ)及び図３に示すように、その上端に略板状のピボット金具５０が一体的に取り付けられており、このピボット金具５０を介して扉体１ａ下面の下側ピボット取付け位置マーク４５(図１(ｂ)参照)の部分に下側ピボット５１がネジ等を用いて取り付けられる。なお、この下側ピボット５１は、上述した態様に限定されるものではなく、扉体１ａ下面の所定位置に固定されて回転軸となるものであれば如何なる態様であってもよい。
【００２３】
続いて、下側ピボット５１が取り付けられ、それが表面に現れた状態になっているピボット付き扉１は、所定の取付け位置まで運ばれ、図３及び図４で示すように、その下側ピボット５１を所定の吊り込み位置の床面７に設けられた下側ピボット受け５２に差し込むと共に、扉体１ａを吊り込んで梱包材１０で覆われたままの上側ピボット５を所定の吊り込み位置の天面に設けられた上側ピボット受け２ａの位置に配置する。
ここで、ピボット付き扉１が吊り込まれる所定の取付け位置について説明すると、図４に示すように、一般的には、天井面を形成する上枠２と戸尻側の縦枠３と戸先側の縦枠４とで区画された開口部分がピボット付き扉１の取付け位置となる。そして、かかる開口部分の縦枠３に近い床面７に下側ピボット受け５２が凹設され、上枠２における下側ピボット受け５２の中心軸線上に、上側ピボット受け２ａが同軸となるように凹設される。
【００２４】
そして、所定の取付け位置に吊り込まれたピボット付き扉１は、切取補助線２０(より詳しくは表面側切取補助線３０)の部分から切片Ｓ１を切り離し、その切片Ｓ２を引っ張る。すると、残りの切取補助線２０が破れ、上側ピボット５の取り付け部分に対応する箇所の切片が上側ピボット受け２ａと扉体１ａとの隙間から引き抜かれると同時に、常時突出方向に付勢されている上側ピボット５が上側ピボット受け２ａに挿入される(図５参照)。これにより、図６に示すようにピボット付き扉１の施工が完了する。
ここで、本実施形態のピボット付き扉１では、施工されたピボット付き扉１のほぼ全面が梱包材１０で梱包されているので、別途養生材を取り付けなくても扉体１ａ全体を養生することができる。
【００２５】
次に、図７に示す第２の実施形態(第２実施例)の梱包材１０について説明する。上述した第１実施例と異なる部分は、ピボット取付面側切取補助線３２で切り取られる梱包材１０の切取幅が、ピボット付き扉１を梱包した際の当該ピボット付き扉１の表面側から裏面側に向けて漸減するように形成されている点である。なお、これら以外の部分は前記第１実施例と同じであるので、前記第１実施例の説明を援用して本実施例の説明に代える。
このように、ピボット取付面側切取補助線３２で切り取られる梱包材１０の切取幅を、上記のように表面側から裏面側に向けて漸減させることにより、そのピボット取付面側切取補助線３２で囲まれた上側ピボット５周辺の梱包材１０をより少ない力で確実に切り取ることができるようになる。
なお、図７に示す実施形態では、ピボット取付面側切取補助線３２で囲まれた切片の形状を略三角形状にて形成する場合を示しているが、ピボット取付面側切取補助線３２で切り取られる梱包材１０の切取幅が表面側から裏面側に向けて漸減するものであれば如何なる形状であってもよく、例えば、半円形状や放物線形状などであってもよい。
【００２６】
次に図８に示す第３の実施形態(第３実施例) の梱包材１０について説明する。上述した第１実施例と異なる部分は、梱包材１０の裏面側上端部に裏面側切取補助線３４を設けると共に、ピボット取付面側切取補助線３２を切り込み線で形成する点である。なお、これら以外の部分は前記第１実施例と同じであるので、前記第１実施例の説明を援用して本実施例の説明に代える。
この実施形態では、上側の切取補助線２０を、表面側上端部に設けられ、梱包材１０の表面側を切り取る際に把手となる切片Ｓ１を形成する表面側切取補助線３０と、一端がその表面側切取補助線３０に連設され、上側ピボット５周辺の梱包材１０を切り取るように設けられた左右一対のピボット取付面側切取補助線３２と、そのピボット取付面側切取補助線３２の他端に連接するよう裏面側上端部に設けられ、梱包材１０の裏面側を切り取る際に把手となる切片Ｓ３を形成する裏面側切取補助線３４とで構成する。また、ピボット取付面側切取補助線３２を切り込み線で形成し、表面側切取補助線３０及び裏面側切取補助線３４をミシン目で形成する。
かかる構成により、表面側切取補助線３０及び裏面側切取補助線３４に沿って把手となる切片Ｓ１及び切片Ｓ３を切り取り、この切片Ｓ１もしくは切片Ｓ３を扉体１ａから離間する表裏何れかの方向に引っ張るだけで、ピボット付き扉１の表側および裏側の何れからでも上側ピボット５周辺の梱包材１０を簡単且つ確実に切り取ることができるようになる。
【００２７】
次に、図９に示す第４の実施形態(第４実施例) の梱包材１０について説明する。上述した第１実施例と異なる部分は、固定式の下側ピボット５１が予め扉体１ａに装着された状態で梱包されるため、扉体１ａの下端に近接する梱包材１０の下部全周に亘って下側の切取補助線４１が設けられている点である。なお、これら以外の部分は前記第１実施例と同じであるので、前記第１実施例の説明を援用して本実施例の説明に代える。
上述のように、下側ピボット５１を扉体１ａに装着した状態で梱包すると、扉体１ａの下面と梱包材１０の下面との間には大きな隙間が生じるようになる。そこで、扉体１ａに予め下側ピボット５１を装着して梱包する際には、図９(ａ)に示すように、扉体１ａの下面と梱包材１０の下面との間に生じる隙間に台座４３を装着して、その隙間を埋めるようにするのが好ましい。
そして、このように下側ピボット５１を予め扉体１ａに装着しておくことによって、施工現場で下側ピボット５１を紛失すると言ったような問題をなくすことができると共に、施工現場での下側ピボット５１の取付けの手間を省き、ピボット付き扉１の施工をより一層簡略化することができる。
【００２８】
なお、上述した各実施形態は、いずれも上側ピボット５を可動式ピボットＡで構成する場合について示しているが、上側ピボット５を固定式とし、下側ピボット５１を可動式ピボットＡで構成するようにしてもよい。この場合、梱包材１０の構成やピボット付き扉１の施工手順は天地を入れ替えればよい(すなわち上下を逆にすればよい)。
【符号の説明】
【００２９】
１：ピボット付き扉，１ａ：扉体，２ａ：上側ピボット受け，５：上側ピボット，１０：梱包材，１０ａ：シート，２０：(上側の)切取補助線，３０：表面側切取補助線，３２：ピボット取付面側切取補助線，３４：裏面側切取補助線，２０Ｘ：(上側の)下蓋側切取補助線，２０Ｙ：(上側の)上蓋側切取補助線，２２：可動式ピボット位置目印，４０：(下側の)切取補助線，４０Ｘ：(下側の)下蓋側切取補助線，４０Ｙ：(下側の)上蓋側切取補助線，５１：下側ピボット，５２：下側ピボット受け，Ａ：可動式ピボット，Ｓ１：切片，Ｓ３：切片．
【図１】
2018118785.tif 000003
【図２】
2018118785.tif 000004
【図３】
2018118785.tif 000005
【図４】
2018118785.tif 000006
【図５】
2018118785.tif 000007
【図６】
2018118785.tif 000008
【図７】
2018118785.tif 000009
【図８】
2018118785.tif 000010
【図９】
2018118785.tif 000011